(57)【要約】【課題】  管理者が携帯し子機を連結した携帯電話で、機器の多様な遠隔制御が行えるとともに、監視対象物の監視状態や機器の動作状態が容易に把握できる遠隔管理システムの提供。【解決手段】  車両の遠隔管理システムは、車両所有者が携帯する携帯電話１の機器接続ポート１８に、携帯電話装着型リモコン３を装着し、表示器１２に表示されるステータス画面に従って所定のキー１１を押圧操作すれば、車載機器の遠隔制御を車両所有者が容易に行うことができる。また、ステータス画面を車両所有者が見れば、車両の監視状態や車載機器の動作状態を容易に把握することができる。【選択図】図３
2006050188.tif 000002
【特許請求の範囲】
【請求項１】
監視対象物の管理者が携帯する携帯電話との間でデータ転送を双方向に行うとともに、前記携帯電話の電池から電力を貰うための子機側インターフェイスと、
監視対象物側に設置した親機の親機側通信手段と特定小電力電波で双方向通信が可能な子機側通信手段と、
子機側遠隔管理プログラムに基づいて前記データ転送および前記双方向通信を制御し、前記監視対象物の遠隔監視や機器の遠隔制御を行う子機側マイクロコンピュータとを備え、
前記子機側インターフェイスを前記携帯電話の機器接続ポートへ電気接続して使用することを特徴とする遠隔管理システム用の子機。
【請求項２】
文字や数字等を入力するための複数のキー、文字や画像等を表示するための表示器、送話するためのマイク、受話するためのスピーカ、中継基地局との間で通信を行う通信回路、遠隔管理プログラムを格納するためのメモリ、電話機としての動作以外に前記遠隔管理プログラムに基づいて動作するマイクロコンピュータ、機器接続ポート、および電池を備え、監視対象物の管理者が携帯する携帯電話と、
該携帯電話との間でデータ転送を双方向に行うとともに、前記携帯電話の電池から電力を貰うための子機側インターフェイス、監視対象物側に設置した親機の親機側通信手段と特定小電力電波で双方向通信が可能な子機側通信手段、および子機側遠隔管理プログラムに基づいて前記データ転送および前記双方向通信を制御し、前記監視対象物の遠隔監視や機器の遠隔制御を行う子機側マイクロコンピュータを備え、前記子機側インターフェイスを前記機器接続ポートへ電気接続して使用する子機とにより構成し、
遠隔管理プログラムは、前記監視対象物の遠隔監視や前記機器の遠隔制御に必要な、操作と管理状態の確認がキー入力で行えるステータス画面を前記マイクロコンピュータによって前記表示器に表示させることを特徴とする遠隔管理システム。
【請求項３】
前記遠隔管理プログラムは、前記機器接続ポートへ電気接続した前記子機から前記携帯電話へ転送されるか、または前記携帯電話によるWeb サイトからダウンロードされて前記携帯電話のメモリに格納され、遠隔管理を行う場合に起動させることを特徴とする請求項２記載の遠隔管理システム。
【請求項４】
前記遠隔管理プログラムは、遠隔監視に伴う前記親機からの通報を、前記表示器のステータス画面で報知させる以外に、前記携帯電話の発光素子を光らせたり前記スピーカから音を出して報知するとともに、通報履歴を参照可能に文字データで保存することを特徴とする請求項２または請求項３に記載の遠隔管理システム。
【請求項５】
文字や数字等を入力するための複数のキー、文字や画像等を表示するための表示器、送話するためのマイク、受話するためのスピーカ、中継基地局との間で通信を行う通信回路、遠隔管理プログラムを格納するためのメモリ、電話機としての動作以外に前記遠隔管理プログラムに基づいて動作するマイクロコンピュータ、機器接続ポート、および電池を備え、前記監視対象物の管理者が携帯する携帯電話と、
前記中継基地局との間で通信を行う第２の通信回路、第２の遠隔管理プログラムを格納するための第２のメモリ、電話機としての動作以外に前記第２の遠隔管理プログラムに基づいて動作する第２のマイクロコンピュータ、第２の機器接続ポート、および第２の電池を備え、親機側に配される第２の携帯電話と、
前記第２の機器接続ポートを電気接続し、前記第２の携帯電話との間でデータ転送を双方向に行うとともに、親機電源から前記第２の携帯電話へ電力を供給するための親機側インターフェイス、親機側遠隔管理プログラムに基づいて前記データ転送を制御し、前記監視対象物の監視や制御に関わる管理を行う親機側マイクロコンピュータを備え、監視対象物側に設置される親機とにより構成し、
前記遠隔管理プログラムは、遠隔監視や遠隔制御に必要な、操作と管理状態の確認がキー入力で行えるステータス画面を前記マイクロコンピュータによって、前記管理者が携帯する携帯電話の前記表示器に表示させることを特徴とする遠隔管理システム。
【発明の詳細な説明】
【技術分野】
【０００１】
本発明は、監視対象物の遠隔監視や機器の遠隔制御に関する管理を離れた場所から行う遠隔管理システムに関する。
【背景技術】
【０００２】
特許文献１には、押しボタン付きのリモコンからの電波により装置の動作や不動作を設定できる車両用盗難防止装置が開示されている。
【特許文献１】特開平１１−３３４６６５号公報
【発明の開示】
【発明が解決しようとする課題】
【０００３】
車両用盗難防止装置は、安価に提供する必要があるので、製造コストの大幅な上昇を招く、入力用の複数のキーや大型の表示器をリモコンに付けられない。
このため、１〜２種類の機器をオン・オフするといった簡単な遠隔制御しかできないとともに、監視対象物の監視状態や機器の動作状態をリモコン側で把握し難い。
【０００４】
本発明の第１の目的は、管理者が携帯する携帯電話に連結して使用し、機器の多様な遠隔制御が行えるとともに、監視対象物の監視状態や機器の動作状態が容易に把握できる遠隔管理システムの子機の提供にある。
本発明の第２の目的は、管理者が携帯し子機を連結した携帯電話で、機器の多様な遠隔制御が行えるとともに、監視対象物の監視状態や機器の動作状態が容易に把握できる遠隔管理システムの提供にある。
本発明の第３の目的は、親機側に配した第２の携帯電話を介して、機器の多様な遠隔制御および監視対象物の監視状態や機器の動作状態の把握が、管理者が携帯する携帯電話で容易に把握できる遠隔管理システムの提供にある。
【課題を解決するための手段】
【０００５】
〔請求項１の手段〕
遠隔管理システム用の子機は、子機側インターフェイスと、子機側通信手段と、子機側マイクロコンピュータとを備え、子機側インターフェイスを携帯電話の機器接続ポートへ電気接続して使用する。
【０００６】
子機側インターフェイスは、監視対象物の管理者が携帯する携帯電話との間でデータ転送を双方向に行うとともに、携帯電話の電池から電力を貰う。
子機側通信手段は、監視対象物側に設置した親機の親機側通信手段と特定小電力電波で双方向通信が可能である。
子機側マイクロコンピュータは、子機側遠隔管理プログラムに基づいてデータ転送および双方向通信を制御し、監視対象物の遠隔監視や機器の遠隔制御を行う。
【０００７】
子機に連結した携帯電話の複数のキーやボタンを遠隔制御用のスイッチとして使うことにより機器の多様な遠隔制御を管理者が行うことができる。また、連結した携帯電話の表示器に、監視対象物の監視状態や機器の動作状態を表示させることにより、監視状態や動作状態を管理者が容易に把握できる。
【０００８】
〔請求項２の手段〕
遠隔管理システムは、監視対象物の管理者が携帯する携帯電話と、子機側インターフェイスを機器接続ポートへ電気接続して使用する子機とにより構成され、親機が監視対象物側に設置される。
管理者が携帯する携帯電話は、文字や数字等を入力するための複数のキー、文字や画像等を表示するための表示器、送話するためのマイク、受話するためのスピーカ、中継基地局との間で通信を行う通信回路、遠隔管理プログラムを格納するためのメモリ、電話機としての動作以外に遠隔管理プログラムに基づいて動作するマイクロコンピュータ、機器接続ポート、および電池を備える。
【０００９】
子機は、子機側インターフェイスと、子機側通信手段と、子機側マイクロコンピュータとを備える。
子機側インターフェイスは、監視対象物の管理者が携帯する携帯電話との間でデータ転送を双方向に行うとともに、携帯電話の電池から電力を貰う。
子機側通信手段は、監視対象物側に設置した親機の親機側通信手段と特定小電力電波で双方向通信が可能である。
子機側マイクロコンピュータは、子機側遠隔管理プログラムに基づいて上記データ転送および双方向通信を制御し、監視対象物の遠隔監視や機器の遠隔制御を行う。
【００１０】
管理者が携帯する携帯電話のマイクロコンピュータは、メモリに格納された遠隔管理プログラムに基づいて動作し、監視対象物の遠隔監視や機器の遠隔制御に必要な、操作と管理状態の確認が、携帯電話のキー入力で行うことができるステータス画面を携帯電話の表示器に表示する。
これにより、子機に連結した携帯電話の複数のキーで、遠隔制御用の文字や数字等を入力することにより、機器の多様な遠隔制御を管理者が行うことができる。また、携帯電話の表示器のステータス画面を管理者が見れば、監視対象物の監視状態や機器の動作状態が容易に把握できる。
【００１１】
〔請求項３の手段〕
管理者が携帯する携帯電話の機器接続ポートへ電気接続した子機から遠隔管理プログラムを転送して携帯電話のメモリに格納する。または、遠隔管理プログラムを登録したWeb サイトに携帯電話で接続し、そのWeb サイトから遠隔管理プログラムをダウンロードして携帯電話のメモリに格納しても良い。
遠隔管理プログラムは、携帯電話を電話機として動作させる場合には起動されず、遠隔管理（監視対象物の遠隔監視や機器の遠隔制御）を行う場合に起動される。なお、子機を携帯電話に連結すると遠隔管理プログラムが自動的に起動する構成でも、手動で起動させる構成でも良い。
遠隔管理が不要な場合には携帯電話を電話機として使うことができ、遠隔管理が必要な場合には子機を携帯電話に連結して遠隔管理を行うことができる。
【００１２】
〔請求項４の手段〕
遠隔管理プログラムは、遠隔監視に伴う通報が親機から子機にあった場合には、携帯電話の表示器のステータス画面に通報内容を報知し、更に、携帯電話の発光素子を光らせたりスピーカから音を出して報知する。更に、通報履歴を文字データで保存し、管理者が参照可能にする。
遠隔監視に伴う通報が親機から子機へある場合には、携帯電話の発光素子が光ったり、携帯電話のスピーカから音が出る。このため、携帯電話のステータス画面を管理者が常に見ていなくても、遠隔監視に伴う通報の有無を確認でき便利である。
【００１３】
〔請求項５の手段〕
遠隔管理システムは、監視対象物の管理者が携帯する携帯電話と、親機側に配される第２の携帯電話と、監視対象物側に設置される親機とにより構成される。
管理者が携帯する携帯電話は、文字や数字等を入力するための複数のキーと、文字や画像等を表示するための表示器と、送話するためのマイクと、受話するためのスピーカと、中継基地局との間で通信を行う通信回路と、遠隔管理プログラムを格納するためのメモリと、電話機としての動作以外に遠隔管理プログラムに基づいて動作するマイクロコンピュータと、機器接続ポートと、電池とを備える。
【００１４】
親機側に配される第２の携帯電話は、中継基地局との間で通信を行う第２の通信回路と、第２の遠隔管理プログラムを格納するための第２のメモリと、電話機としての動作以外に第２の遠隔管理プログラムに基づいて動作する第２のマイクロコンピュータと、第２の機器接続ポートと、第２の電池とを備える。
【００１５】
親機は、親機側インターフェイスと、親機側マイクロコンピュータとを備える。
親機側インターフェイスは、第２の携帯電話の第２の機器接続ポートを電気接続し、第２の携帯電話との間でデータ転送を双方向に行うとともに、親機電源から第２の携帯電話へ電力を供給する。
【００１６】
親機側マイクロコンピュータは、親機側遠隔管理プログラム（例えば、親機のメモリ内に格納）に基づいて、第２の携帯電話との間のデータ転送を制御し、監視対象物の監視や機器の制御に関わる管理を行う。
【００１７】
携帯電話のマイクロコンピュータは、管理者が携帯する携帯電話のメモリに格納された遠隔管理プログラムに基づいて動作し、遠隔監視や遠隔制御に必要な、操作と管理状態の確認が、管理者のキー入力で行えるステータス画面を携帯電話の表示器に表示する。
これにより、管理者が携帯する携帯電話の複数のキーで、遠隔制御用の文字や数字等を入力することにより、機器の多様な遠隔制御を管理者が行うことができる。また、携帯電話の表示器のステータス画面を管理者が見れば、監視対象物の監視状態や機器の動作状態が容易に把握できる。
なお、携帯電話は、中継基地局を介して、第２の携帯電話に無線接続されているので、圏外以外の任意の場所から、機器の遠隔制御や、監視対象物の監視状態の把握や、機器の動作状態の把握を行うことができる。
【発明を実施するための最良の形態】
【００１８】
車両の遠隔管理システムは、車両（監視対象物）の所有者（管理者）が携帯する携帯電話と、この携帯電話に連結して使用し、車室内に設置した車載器（親機）と特定小電力電波で双方向通信が可能な子機とで構成される。
【００１９】
携帯電話は、文字や数字等を入力するための複数のキーと、文字や画像等を表示するための液晶ディスプレイ（表示器）と、送話するためのマイクと、受話するためのスピーカと、中継基地局との間で通信を行う通信回路と、遠隔管理プログラムが格納されるメモリと、電話機としての動作以外に遠隔管理プログラムに基づいて動作するマイクロコンピュータと、機器接続ポートと、電池とを備える。
【００２０】
子機は、上記携帯電話との間でデータ転送を双方向に行うとともに、携帯電話の電池から電力を貰うための子機側インターフェイスと、監視対象物側に設置した親機の親機側通信手段と特定小電力電波で双方向通信が可能な子機側通信手段と、子機側遠隔管理プログラムに基づいてデータ転送および双方向通信を制御し、監視対象物の遠隔監視や機器の遠隔制御を行う子機側マイクロコンピュータとを備える。
【００２１】
管理者が携帯する携帯電話のマイクロコンピュータは、メモリに格納された遠隔管理プログラムに基づいて動作し、監視対象物の遠隔監視や機器の遠隔制御に必要な、操作と管理状態の確認が、携帯電話のキー入力で行えるステータス画面を携帯電話の表示器に表示する。
【００２２】
これにより、子機を連結した携帯電話（管理者が携帯する）の所定のキーを押圧操作することにより、複数の車載機器の遠隔制御を管理者が容易に行うことができる。また、携帯電話の表示器のステータス画面を管理者が見れば、車両の監視状態や車載機器の動作状態を容易に把握できる。
【実施例１】
【００２３】
本発明の実施例１に係る車両の遠隔管理システムＡ（請求項１〜４に対応）を、図１〜図４に基づいて説明する。
図４に示す如く、車両の遠隔管理システムＡは、車両（監視対象物）の所有者（管理者）が携帯する携帯電話１と、この携帯電話１に連結して使用し、車両の車室内に設置した車載器（親機）２と特定小電力電波２５、３５で双方向通信が可能な携帯電話装着型リモコン３とで構成される。なお、所有者による車両の遠隔管理は、自宅の車庫、飲食店、娯楽施設等の駐車場に車両を駐車し、携帯電話１に連結した携帯電話装着型リモコン３と車載器２との距離が数百ｍ以内の通信圏内で行うことができる。
【００２４】
携帯電話１は、キー１１と、表示器１２と、送話するためのマイク１３と、受話するためのスピーカ１４と、通信回路１５と、メモリ１６と、マイクロコンピュータ１７と、機器接続ポート１８と、電池１９とを備える（図１、図３、図４参照）。
キー１１は、文字、数字、および記号がキー表面に印刷されており、電話機ハウジングに複数個、組み付けられている。これらのキー１１は、携帯電話１を携帯電話機として動作させる場合に、相手先の電話番号の入力や、メールの作成に使用する。
【００２５】
表示器１２は、液晶式のディスプレイであり、画像（動画像や静止画像）、数字、文字等の表示が可能である。
通信回路１５は、８００ＭＨｚ帯の電波Ｗ１、Ｗ２を使用し、アンテナ１０を介して中継基地局（図示せず）との間で無線通信を行うための回路である。なお、傍受を困難にするため、音声をデジタル変調している。
【００２６】
メモリ１６には、画像データ、アドレス帳、受信したメール、ダウンロードした着メロデータやアプリケーションソフトが格納されている。また、メモリ１６には、手動操作によって起動する遠隔管理プログラムｐ１が以下の方法で格納されている。
・携帯電話装着型リモコン３を連結する前に、携帯電話１からインターネットに接続し、携帯電話装着型リモコン３を製造販売するメーカのWeb サイトにアクセスし、そのWeb サイトから遠隔管理プログラムｐ１をダウンロードしてメモリ１６に格納する。
・機器接続ポート１８に連結した携帯電話装着型リモコン３から遠隔管理プログラムｐ１を携帯電話１へ転送する方法でメモリ１６に格納する。
【００２７】
遠隔管理プログラムｐ１が起動していない場合には、マイクロコンピュータ１７は、携帯電話１を通常の携帯電話機として動作させる。
また、所定の操作を行って遠隔管理プログラムｐ１を起動させると、マイクロコンピュータ１７は、遠隔管理プログラムｐ１および遠隔管理プログラム（子機側遠隔管理プログラム）に基づいて携帯電話１を以下の様に動作させる。
【００２８】
先ず、監視対象物である車両の遠隔監視、および車載機器の遠隔制御に必要な、操作と管理状態の確認が、携帯電話１のキー１１の入力で行えるステータス画面を表示器１２に表示する。
そして、遠隔監視に伴う異状通報が車載器２から、携帯電話１を連結した携帯電話装着型リモコン３にあった場合には、遠隔管理プログラムｐ１が、携帯電話１の表示器１２のステータス画面に通報内容を表示し、更に、携帯電話１のＬＥＤ（発光素子）を点滅させ、スピーカ１４からアラーム音（音）を出して警告する。また、所有者が後から内容を見れる様に、通報履歴を文字データで保存する。
なお、遠隔管理プログラムｐ１が起動している状態でも携帯電話１の電話機能とメール機能を無効にせず、着信があった場合に着信音で知らせる仕様である。
【００２９】
機器接続ポート１８は、携帯電話１の底部に設けられている。この機器接続ポート１８は、図３の（ａ）→（ｂ）の様にして連結した携帯電話装着型リモコン３とマイクロコンピュータ１７との間で、双方向のデータ転送を可能にするためのコネクタおよびインターフェイスである。なお、連結した携帯電話装着型リモコン３は、機器接続ポート１８を介して、携帯電話１の電池１９から電力を貰うことができる。
電池１９は、大容量であり、多数回の充放電が可能な小型のリチウム電池である。
【００３０】
車載器２は、車両用盗難防止装置であり、図２に示す如く、マイクロコンピュータ２１、通信回路（親機側通信手段）２２、警報音の発報が可能なサイレン２３、センサ２４等を備える。
通信回路２２は、アンテナを介して、携帯電話装着型リモコン３と特定小電力電波２５、３５で双方向通信が可能である。
センサ２４は、車両の適所に配され、車両への不法行為に基づく物理量の変化に対応したセンサ信号を出力する。
マイクロコンピュータ２１は、不法行為が行われているか否かをセンサ信号に基づいて判別し、不法行為が行われていると判別すると、サイレン２３を作動させるとともに、通信回路２２により特定小電力電波２５（４００ＭＨｚ帯）で異状を携帯電話装着型リモコン３へ通報する。
また、マイクロコンピュータ２１は、携帯電話１からの、車載機器（ドアの施錠開錠、エンジン始動・停止、エアコンのオンオフ等）の制御指令に基づいて車載機器を操作し、操作結果が携帯電話１へ送られる。
【００３１】
携帯電話装着型リモコン３は、インターフェイス（子機側インターフェイス）３１、通信回路（子機側通信手段）３２、マイクロコンピュータ（子機側マイクロコンピュータ）３３、メモリ３４等を備える。
インターフェイス３１は、携帯電話１の機器接続ポート１８へ携帯電話装着型リモコン３を連結するためのものである。このインターフェイス３１を介して、携帯電話装着型リモコン３のマイクロコンピュータ３３と携帯電話１のマイクロコンピュータ１７との間でデータ転送が双方向に行われる。なお、携帯電話１に連結した携帯電話装着型リモコン３は、インターフェイス３１を介して、携帯電話１の電池１９から作動用電力を貰うことができる。
【００３２】
通信回路３２は、車室内に設置した車載器２の通信回路２２と特定小電力電波２５、３５で双方向通信が可能である。
マイクロコンピュータ３３は、メモリ３４に格納された図示しない遠隔管理プログラム（子機側遠隔管理プログラム）に基づいて動作し、携帯電話１のマイクロコンピュータ１７との双方向のデータ転送と、車載器２の通信回路２２との双方向通信とを制御し、車両の遠隔監視と車載機器の遠隔制御とを行う。なお、遠隔管理プログラムのバージョンアップが可能であることが好ましい。
【００３３】
つぎに、車両の遠隔管理システムＡの利点を述べる。
〔あ〕車両の遠隔管理システムＡは、携帯電話装着型リモコン３を携帯電話１に連結し、所有者が所定の操作を行って遠隔管理プログラムｐ１を起動させると、監視対象物である車両の遠隔監視および車載機器の遠隔制御に必要なステータス画面が携帯電話１の表示器１２に表示される。この表示器１２のステータス画面を所有者が見れば、車両の異状の有無（車両の監視状態）や車載機器の詳細な動作状態を容易に確認することができる。そして、ステータス画面の表示に従って、所定のキー１１を押圧操作すれば、複数台の車載機器の多様な遠隔操作を容易に行うことができる。このため、使用勝手が良い。
また、車両の遠隔管理が不要な場合には、携帯電話装着型リモコン３と携帯電話１との連結を解除して携帯電話１を単体で使うことができるので嵩張らない。
【００３４】
〔い〕車両の遠隔管理システムＡは、携帯電話装着型リモコン３を連結して使用する前に、携帯電話１からインターネットに接続し、携帯電話装着型リモコン３や車載器２を製造販売するメーカのWeb サイトにアクセスし、そのWeb サイトから遠隔管理プログラムｐ１をダウンロードしてメモリ１６に格納するか、機器接続ポート１８に連結した携帯電話装着型リモコン３から携帯電話１へ転送する方法でメモリ１６に遠隔管理プログラムｐ１を格納している。このため、携帯電話装着型リモコン３を製造販売するメーカや販売店の手間が省ける。
【００３５】
〔う〕車両の遠隔管理システムＡは、携帯電話装着型リモコン３と携帯電話１とを連結し、遠隔管理プログラムｐ１を起動させている状態でも携帯電話１の電話機能とメール機能を無効にせず、着信があった場合に着信音で知らせる仕様である。
このため、遠隔管理プログラムｐ１を起動させて遠隔管理を実施中に、電話が掛かって来たりメールが来た場合でも、電話に出たりメールを見ることができるので使い勝手が良い。
【００３６】
〔え〕車両の遠隔管理システムＡは、遠隔監視に伴う異状通報が携帯電話装着型リモコン３にあった場合には、遠隔管理プログラムｐ１が、携帯電話１の表示器１２のステータス画面に通報内容を表示し、更に、携帯電話１のＬＥＤを点滅させ、スピーカ１４からアラーム音（音）を出して警告する仕様である。このため、所有者が携帯電話１のステータス画面を注視していなくても、車両の遠隔監視に伴う通報の有無を把握できるので便利である。
また、通報履歴を文字データで保存する仕様であるので、所有者が後から通報内容を確認することができる。
【実施例２】
【００３７】
つぎに、本発明の実施例２に係る車両の遠隔管理システムＢ（請求項５に対応）を、図５、図６に基づいて説明する。
図に示す如く、実施例２の車両の遠隔管理システムＢは、車両（監視対象物）の所有者（管理者）が携帯する携帯電話４と、車両の車室内に設置した車載器（親機）５と、車載器５に連結される車両側携帯電話（第２の携帯電話）６とで構成される。なお、所有者による車両の遠隔管理は、携帯電話４および車両側携帯電話６が共に圏内（海上、地下、トンネル、僻地、山奥以外）であれば、両者の距離に関係なく行うことができる。
【００３８】
携帯電話４は、図６に示す如く、キー４１と、表示器４２と、送話するためのマイク４３と、受話するためのスピーカ４４と、通信回路４５と、メモリ４６と、マイクロコンピュータ４７と、機器接続ポート４８と、電池４９とを備える。
キー４１は、文字、数字、および記号がキー表面に印刷されており、電話機ハウジングに複数個、組み付けられている。これらのキー４１は、携帯電話４を携帯電話機として動作させる場合に、相手先の電話番号の入力や、メールの作成に使用する。
電池４９は、大容量であり、多数回の充放電が可能な小型のリチウム電池である。
【００３９】
携帯電話４のメモリ４６には、携帯側制御プログラムｐ２（遠隔管理プログラム）が以下の方法で格納されている。
・携帯電話４からインターネットに接続し、車載器５を製造販売するメーカのWeb サイトにアクセスし、そのWeb サイトから携帯側制御プログラムｐ２をダウンロードしてメモリ４６に格納する。
【００４０】
携帯側制御プログラムｐ２が起動していない場合には、マイクロコンピュータ４７は、携帯電話４を通常の携帯電話機として動作させる。また、所定の操作を行って携帯側制御プログラムｐ２を起動させると、マイクロコンピュータ４７は、携帯側制御プログラムｐ２に基づいて携帯電話４を以下の様に動作させる。
【００４１】
先ず、監視対象物である車両の遠隔監視、および車載機器の遠隔制御に必要な、操作と管理状態の確認が、携帯電話４のキー４１の入力で行えるステータス画面を表示器４２に表示する。そして、遠隔監視に伴う異状通報が車載器５から、車両側携帯電話６を経て携帯電話４にあった場合には、携帯側制御プログラムｐ２が、携帯電話４の表示器４２のステータス画面に通報内容を表示し、更に、携帯電話４のＬＥＤ（発光素子）を点滅させ、スピーカ４４からアラーム音（音）を出して警告する。また、所有者が後から内容を見れる様に、通報履歴を文字データで保存する。
【００４２】
なお、実施例２の車両の遠隔管理システムＢにおいて、携帯電話４および携帯側制御プログラムｐ２は、携帯側制御プログラムｐ２が起動している状態でも携帯電話４の電話機能とメール機能を無効にせず、着信があった場合に着信音で知らせる仕様である。
【００４３】
車両側携帯電話（第２の携帯電話）６は、図５に示す如く、キーと、表示器と、送話および車室内の音を捕捉するためのマイク６１と、受話するためのスピーカ６２と、通信回路（第２の通信回路）６３と、メモリ（第２のメモリ）６４と、マイクロコンピュータ（第２のマイクロコンピュータ）６５と、機器接続ポート（第２の機器接続ポート）６６と、電池（第２の電池）６７と、カメラ６８とを備え、車載器５に連結される。
【００４４】
マイク６１は、車両側携帯電話６が電話機として動作している場合（連結が解除）には送話用として使用し、遠隔管理動作している場合には集音用として使用する。
通信回路６３は、８００ＭＨｚ帯の電波Ｗ１、Ｗ２を使用し、アンテナ６０を介して中継基地局（図示せず）との間で無線通信を行うための回路である。なお、傍受を困難にするため、音声をデジタル変調している。
【００４５】
メモリ６４には、車両側携帯電話６用の遠隔管理プログラムが以下の方法で格納されている。
・車両側携帯電話６からインターネットに接続し、車載器５を製造販売するメーカのWeb サイトにアクセスし、そのWeb サイトから車両側携帯電話６用の遠隔管理プログラムをダウンロードしてメモリ６４に格納する。なお、格納後、車両側携帯電話６を車載器５に連結する。
・連結した車載器５から車両側携帯電話６へ遠隔管理プログラムを転送する方法でメモリ６４に格納する。
【００４６】
車両側携帯電話６用の遠隔管理プログラムは、異状通報時には、カメラ６８が車室内外を適宜、撮影する様にマイクロコンピュータ６５に指示する。そして、その撮影画像（動画や静止画）は、通信回路６３から電波Ｗ１で携帯電話４に送信される。
また、車両側携帯電話６用の遠隔管理プログラムは、異状通報時には、マイク６１が車室内の音を集音する様にマイクロコンピュータ６５に指示する。そして、集音した音の信号は、通信回路６３から電波Ｗ１で携帯電話４に送信される。
【００４７】
車両側携帯電話６が電話機として動作している場合（連結が解除）にはマイク６１を送話用として使用する。
通信回路６３は、８００ＭＨｚ帯の電波Ｗ１、Ｗ２を使用し、アンテナ６０を介して中継基地局（図示せず）との間で無線通信を行うための回路である。なお、傍受を困難にするため、音声をデジタル変調している。
【００４８】
機器接続ポート６６は、車両側携帯電話６の底部に設けられている。この機器接続ポート６６は、図５の矢印⇔で示す様に連結した車両側携帯電話６と車載器５との間で、双方向のデータ転送を可能にするためのコネクタおよびインターフェイスである。なお、連結した車両側携帯電話６は、インターフェイス５２を介して車載バッテリ５７から電力を貰うことができる。
【００４９】
車載器（親機）５は、車両用盗難防止装置であり、図５に示す如く、マイクロコンピュータ５１、インターフェイス（親機側インターフェイス）５２、警報音の発報が可能なサイレン５３、センサ５４、車載器側プログラム（親機側遠隔管理プログラム）ｐを格納したメモリ５５、および充電回路５６等を備え、車載バッテリ５７から作動用電力が供給される。
【００５０】
センサ５４は、車両の適所に配され、車両への不法行為に基づく物理量の変化に対応したセンサ信号を出力する。
インターフェイス５２は、機器接続ポート６６を介して、車載器５のマイクロコンピュータ５１と車両側携帯電話６のマイクロコンピュータ６５との間でデータ転送を双方向に行う。
【００５１】
マイクロコンピュータ５１は、車載器側プログラムｐに基づいて動作し、車両への不法行為が行われているか否かをセンサ信号に基づいて判別する。そして、不法行為が行われていると判別すると、サイレン５３を作動させるとともに、車両側携帯電話６を介して異状を携帯電話４へ通報する。
また、マイクロコンピュータ５１は、携帯電話４からの、車載機器（ドアの施錠開錠、エンジン始動・停止、エアコンのオンオフ等）の制御指令に基づいて車載機器を操作し、操作結果を携帯電話４へ送る。
充電回路５６は、連結した車両側携帯電話６の電池６７を、インターフェイス６６及びインターフェイス５２を介して充電するために設けられている。
【００５２】
つぎに、車両の遠隔管理システムＢの利点を述べる。
〔お〕車両側携帯電話６を車載器５に連結し、所定の操作を行って車両側携帯電話６用の遠隔管理プログラムを起動させる。
そして、車両の所有者が携帯する携帯電話４の携帯側制御プログラムｐ２を起動させると、車両の遠隔監視および車載機器の遠隔制御に必要なステータス画面が携帯電話４の表示器４２に表示される。
この表示器４２のステータス画面を所有者が見れば、車両の異状の有無（車両の監視状態）や車載機器の詳細な動作状態を容易に確認することができる。そして、ステータス画面の表示に従って、所定のキー４１を押圧操作すれば、複数台の車載機器の多様な遠隔操作を容易に行うことができる。このため、使用勝手が良い。
また、車両の遠隔管理が不要な場合には、携帯側制御プログラムｐ２を停止すれば、携帯電話４を通常の携帯電話として使うことができる。
【００５３】
〔か〕車両の遠隔管理システムＢは、使用する前に、携帯電話４からインターネットに接続し、車載器５を製造販売するメーカのWeb サイトにアクセスし、そのWeb サイトから携帯側制御プログラムｐ２をダウンロードしてメモリ４６に格納している。このため、車載器５を製造販売するメーカや販売店の手間が省ける。
【００５４】
〔き〕車両の遠隔管理システムＢは、携帯側制御プログラムｐ２を起動させている状態でも携帯電話４の電話機能とメール機能を無効にせず、着信があった場合に着信音で知らせる仕様である。
このため、携帯側制御プログラムｐ２を起動させて遠隔管理を実施中に、電話が掛かって来たりメールが来た場合でも、電話に出たりメールを見ることができるので使い勝手が良い。
【００５５】
〔く〕車両の遠隔管理システムＢは、遠隔監視に伴う異状通報が携帯電話４にあった場合には、携帯側制御プログラムｐ２が、携帯電話４の表示器４２のステータス画面に通報内容を表示し、更に、携帯電話４のＬＥＤを点滅させ、スピーカ４４からアラーム音（音）を出して警告する仕様である。このため、所有者が携帯電話４のステータス画面を注視していなくても、車両の遠隔監視に伴う通報の有無を把握できるので便利である。
また、通報履歴を文字データで保存する仕様であるので、所有者が後から通報内容を確認することができる。
【００５６】
〔け〕携帯電話４は、中継基地局を介して車両側携帯電話６へ無線接続されるので、携帯電話４および車両側携帯電話６が共に圏内（海上、地下、トンネル、僻地、山奥以外）であれば、両者の距離に関係なく、所有者による、車載機器の遠隔操作や動作状態の確認および車両の監視を行うことができる。
【００５７】
〔こ〕車両の遠隔管理システムＢは、異状通報時には、車両側携帯電話６のカメラ６８が車室内外を適宜、撮影し、マイク６１が車室内の音を集音する構成である。
このため、車室内外で不法行為を行っている不法行為者の動向を把握でき、不法行為者の発見に有利である。
【００５８】
本発明は、上記実施例以外に、つぎの実施態様を含む。
ａ．監視対象物は、車両（自動車、土木用の重機、農耕用車両、自動二輪等）以外に、事務所、家屋、金庫、事務機器等でも良い。
ｂ．携帯電話は、２ＧＨｚ帯を使用するものであっても良い。
ｃ．携帯電話のアンテナが、特定小電力電波と携帯電話の電波の二周波に対応した共用アンテナ（標準装備または後付け）であれば、携帯電話装着型リモコンの特定小電力電波を、携帯電話装着型リモコンに連結した携帯電話の共用アンテナで送受信しても良い（請求項１〜４に対応）。
ｄ．携帯電話装着型リモコンと携帯電話、または車両側携帯電話と車載器とを、数ｃｍ〜数ｍの接続線で接続しても良い。
【図面の簡単な説明】
【００５９】
【図１】本発明の実施例１に係る車両の遠隔管理システムのブロック図である。
【図２】その車両の遠隔管理システムの車載器のブロック図である。
【図３】（ａ）は携帯電話装着型リモコンを携帯電話に装着する直前の状態を示す説明図であり、（ｂ）は携帯電話装着型リモコンを携帯電話に装着した状態を示す説明図である。
【図４】携帯電話に装着した携帯電話装着型リモコンと車載器との間で双方向通信を行っている状態を示す説明図である。
【図５】本発明の実施例２に係る車両の遠隔管理システムのブロック図である。
【図６】その車両の遠隔管理システムに用いる携帯電話のブロック図である。
【符号の説明】
【００６０】
Ａ  車両の遠隔管理システム（遠隔管理システム）
ｐ  車載器側プログラム（親機側遠隔管理プログラム）
ｐ１  遠隔管理プログラム
ｐ２  携帯側制御プログラム（遠隔管理プログラム）
１、４  携帯電話
２、５  車載器（親機）
３  携帯電話装着型リモコン
６  車両側携帯電話（第２の携帯電話）
１１、４１  キー
１２、４２  表示器
１３、４３  マイク
１４、４４  スピーカ
１５  通信回路
１６  メモリ
１７  マイクロコンピュータ
１８  機器接続ポート
１９  電池
２２  通信回路（親機側通信手段）
２５、３５  特定小電力電波
３１  インターフェイス（子機側インターフェイス）
３２  通信回路（子機側通信手段）
３３  マイクロコンピュータ（子機側マイクロコンピュータ）
４５  通信回路（第２の通信回路）
４６  メモリ（第２のメモリ）
４７  マイクロコンピュータ（第２のマイクロコンピュータ）
４８  機器接続ポート（第２の機器接続ポート）
５１  マイクロコンピュータ（親機側マイクロコンピュータ）
５２  インターフェイス（親機側インターフェイス）
５７  車載バッテリ（親機電源）
６４  メモリ（第２のメモリ）
６５  マイクロコンピュータ（第２のマイクロコンピュータ）
６６  機器接続ポート（第２の機器接続ポート）
６７  電池（第２の電池）
【図１】
2006050188.tif 000003
【図２】
2006050188.tif 000004
【図３】
2006050188.tif 000005
【図４】
2006050188.tif 000006
【図５】
2006050188.tif 000007
【図６】
2006050188.tif 000008